(57)【要約】浄水器は、他の装置からの給電による近距離無線通信装置を備える。また、浄水器は、カートリッジの使用状況に関する使用量情報を検出するセンサと、センサが検出したカートリッジの使用量情報を記憶部に記録する制御部と、記憶部に記録された使用量情報を、他の装置からの給電による近距離無線通信によって他の装置へ送信する第１通信部と、を備える。
2018124291.tif 000002
【特許請求の範囲】
【請求項１】
他の装置からの給電による近距離無線通信装置を備える浄水器。
【請求項２】
カートリッジの使用量情報を検出するセンサと、
前記センサが検出したカートリッジの使用量情報を記憶部に記録する制御部と、
前記記憶部に記録された使用量情報を、他の装置からの給電による近距離無線通信によって前記他の装置へ送信する第１通信部と、
を備える、請求項１に記載の浄水器。
【請求項３】
前記センサによる検出処理と前記記憶部への記録処理について電力を供給するボタン電池、をさらに備える、請求項２に記載の浄水器。
【請求項４】
前記使用量情報を表示する表示部、を備えないことを特徴とする請求項２または請求項３に記載の浄水器。
【請求項５】
請求項２から請求項４の何れか１項に記載の浄水器と、
前記第１通信部に給電し、近距離無線通信により前記使用量情報を前記第１通信部から受信する第２通信部と、前記カートリッジの交換を促す情報を出力する表示制御部と、を備える携帯通信装置と、
を備える浄水器システム。
【請求項６】
前記表示制御部は、前記浄水器に対応するカートリッジの商品情報を案内する情報を出力する、
請求項５に記載の浄水器システム。
【請求項７】
前記表示制御部は、前記使用量情報を出力する、
請求項５または請求項６に記載の浄水器システム。
【請求項８】
前記携帯通信装置は、前記表示制御部が出力する情報を表示する表示部を備える、
請求項５から請求項７の何れか１項に記載の浄水器システム。
【請求項９】
前記表示制御部は、前記第２通信部が前記使用量情報を受信後、所定の期間が経過すると、前記使用量情報の受信を促す情報を出力する、
請求項５から請求項８の何れか１項に記載の浄水器システム。
【請求項１０】
請求項５から請求項９の何れか１項に記載の浄水器システムと、
前記携帯通信装置と通信を行う分析サーバ装置と、
を備え、
前記分析サーバ装置は、
前記携帯通信装置と通信を行う第３通信部と、
前記携帯通信装置から受信した前記使用量情報に基づいて前記カートリッジの交換時期を判定する判定部と、を備え、
前記判定部が前記カートリッジの交換時期が到来したと判定すると、前記第３通信部がカートリッジの交換時期の到来を示す情報を前記携帯通信装置に送信する、
浄水器管理システム。
【請求項１１】
前記分析サーバ装置は、
前記携帯通信装置から受信した前記使用量情報に基づいて前記カートリッジの交換時期を予測する予測部、
をさらに備え、
前記第３通信部は、前記予測部が予測したカートリッジの交換時期が到来すると、カートリッジの交換時期の到来を示す情報を前記携帯通信装置に送信する、
請求項１０に記載の浄水器管理システム。
【請求項１２】
前記予測部は、カートリッジの交換時期の予測を、当該カートリッジに係る使用量情報の過去の履歴により行う、
請求項１１に記載の浄水器管理システム。
【請求項１３】
前記予測部は、カートリッジの交換時期の予測を、当該カートリッジが使用されている地域で使用される他のカートリッジに係る使用量情報に基づいて行う、
請求項１１または請求項１２に記載の浄水器管理システム。
【請求項１４】
カートリッジの使用量情報を検出するセンサと、前記センサが検出した前記使用量情報を他の装置からの給電による近距離無線通信によって送信する通信部と、を備える浄水器に、
近距離無線通信による情報の読み取りを行う機能を備えた装置を近接させて、前記使用量情報を検出する、
浄水器使用状況検出方法。
【発明の詳細な説明】
【技術分野】
【０００１】
本発明は、浄水器、浄水器システム、浄水器管理システム及び浄水器使用状況検出方法に関する。
本願は、２０１６年１２月２８日に日本に出願された特願２０１６−２５４７６５号、および、２０１７年７月２５日に日本に出願された特願２０１７−１４３９２８号、並びに、２０１７年１２月２０日に日本に出願された特願２０１７−２４４４８７号に基づき優先権を主張し、その内容をここに援用する。
【背景技術】
【０００２】
インターネット、スマートフォンの普及により、モノと人を繋ぎ、情報を提供するいわゆるＩｏＴ（internet of thing）と呼ばれる技術の普及が急速に進んでいる。例えば、特許文献１には、浄水器の蓋部に設けた蓋開閉検出部が検出した蓋の開閉回数に基づくフィルタの消耗度を示す情報を、携帯端末装置に送信し、携帯端末装置がその消耗度に応じてフィルタの交換を促す情報を表示する技術が開示されている。例えば、特許文献２には、浄水処理が行われている状態を検知する検知部とビーコン装置とを備えた浄水器が記載されている。この浄水器では、検知部が検知した浄水処理が行われている時間の合計に基づいて、フィルタの交換時期を通知する信号を、ビーコン装置がユーザの携帯端末装置へ送信する。
【先行技術文献】
【特許文献】
【０００３】
【特許文献１】特開２０１５−２１９６８８号公報
【特許文献２】特開２０１６−９６４２１号公報
【発明の概要】
【発明が解決しようとする課題】
【０００４】
特許文献１、２に記載の技術では、何れの場合も浄水器に通信装置を設け、この通信装置が、所定の時間間隔で、浄水器のフィルタの劣化に関係する情報を送信している。しかし、このような構成の場合、通信装置が消費する電力が膨大なため、電源装置が必要となり、コストや配置スペースの面で課題がある。例えば、蛇口直結型の浄水器の場合には、電力の供給を浄水器の内部に格納したボタン電池によって行うことが多いが、通信装置が消費する電力をボタン電池によって賄うことは現実的ではない。【０００５】
本発明は、上述の課題を解決することのできる浄水器、浄水器システム、浄水器管理システム及び浄水器使用状況検出方法を提供する。
【課題を解決するための手段】
【０００６】
本発明の第１の態様によれば、浄水器は、他の装置からの給電による近距離無線通信装置を備える。【０００７】
本発明の第２の態様によれば、浄水器は、カートリッジの使用状況に関する使用量情報を検出するセンサと、前記センサが検出したカートリッジの使用量情報を記憶部に記録する制御部と、前記記憶部に記録された使用量情報を、他の装置からの給電による近距離無線通信によって前記他の装置へ送信する第１通信部と、を備える。【０００８】
本発明の第３の態様における前記浄水器は、前記センサによる検出処理と前記記憶部への記録処理について電力を供給するボタン電池を備える。【０００９】
本発明の第４の態様における前記浄水器は、前記使用量情報を表示する表示部、を備えないことを特徴とする。【００１０】
本発明の第５の態様によれば、前記の浄水器と、前記第１通信部に対して給電し、近距離無線通信を行って前記使用量情報を前記第１通信部から受信する第２通信部と、前記カートリッジの交換を促す情報を出力する表示制御部と、を備える携帯通信装置と、を備える浄水器システムである。【００１１】
本発明の第６の態様における前記浄水器システムでは、前記表示制御部は、前記浄水器に対応するカートリッジの商品情報を案内する情報を出力する。【００１２】
本発明の第７の態様における前記浄水器システムでは、前記表示制御部は、前記使用量情報を出力する。【００１３】
また本発明の第８の態様における前記浄水器システムでは、前記携帯通信装置は、前記表示制御部が出力する情報を表示する表示部を備える。【００１４】
本発明の第９の態様における前記浄水器システムでは、前記表示制御部は、前記第２通信部が前記使用量情報を受信してから所定の期間が経過すると、前記使用量情報の受信を促す情報を出力する。【００１５】
本発明の第１０の態様によれば、上記の何れかに記載の浄水器システムと、前記携帯通信装置と通信を行う分析サーバ装置と、を備え、前記分析サーバ装置は、前記携帯通信装置と通信を行う第３通信部と、前記携帯通信装置から受信した前記使用量情報に基づいて前記カートリッジの交換時期を判定する判定部と、を備え、前記判定部が前記カートリッジの交換時期が到来したと判定すると、前記第３通信部がカートリッジの交換時期の到来を示す情報を前記携帯通信装置に送信する浄水器管理システムである。【００１６】
本発明の第１１の態様における前記浄水器管理システムでは、前記分析サーバ装置は、前記携帯通信装置から受信した前記使用量情報に基づいて前記カートリッジの交換時期を予測する予測部、をさらに備え、前記第３通信部は、前記予測部が予測したカートリッジの交換時期が到来すると、カートリッジの交換時期の到来を示す情報を前記携帯通信装置に送信する。【００１７】
本発明の第１２の態様における前記浄水器管理システムでは、前記予測部は、カートリッジの交換時期の予測を、当該カートリッジに係る使用量情報の過去の履歴により行う。【００１８】
本発明の第１３の態様における前記浄水器管理システムでは、前記予測部は、カートリッジの交換時期の予測を、当該カートリッジが使用されている地域で使用される他のカートリッジに係る使用量情報に基づいて行う。【００１９】
本発明の第１４の態様によれば、カートリッジの使用状況に関する使用量情報を検出するセンサと、前記センサが検出した前記使用量情報を他の装置からの給電による近距離無線通信によって送信する通信部と、を備える浄水器に、近距離無線通信による情報の読み取りを行う機能を備えた装置を近接させて、前記使用量情報を検出する、浄水器使用状況検出方法である。
【発明の効果】
【００２０】
上記した浄水器、浄水器システム、浄水器管理システム及び浄水器使用状況検出方法によれば、浄水器に他の装置からの給電による近距離無線通信用装置を備えることにより、通信による電力の消費がなくなるため、浄水器の電力消費量が低減され、電池交換の頻度を少なくすることができる。また、カートリッジの交換時期を判定し、ユーザにその交換時期を提示することができる。
【図面の簡単な説明】
【００２１】
【図１】本発明の一実施形態における浄水器管理システム１の概略図である。
【図２】本発明の一実施形態における浄水器１０の斜視図である。
【図３】本発明の一実施形態における浄水器管理システム１の機能ブロック図である。
【図４】本発明の一実施形態における浄水器１０と携帯通信装置２０との使用量情報の通信を説明する図である。
【図５】本発明の一実施形態における浄水器１０が記憶する使用量情報と携帯通信装置２０による使用量情報の読み取り処理との関係を説明する図である。
【図６】本発明の一実施形態における使用量情報の通信処理の一例を示すフローチャートである。
【図７】本発明の一実施形態において記憶部４０６に記録された使用量情報の一例を示す第１の図である。
【図８】本発明の一実施形態において携帯通信装置２０が表示する案内情報の一例を示す図である。
【図９】本発明の一実施形態におけるカートリッジ交換時の使用量情報のリセット処理の一例を示すフローチャートである。
【図１０】本発明の一実施形態において記憶部４０６に記録された使用量情報の一例を示す第２の図である。
【図１１】本発明の一実施形態における浄水器１０Ａの一例を示す第１の図である。
【図１２】本発明の一実施形態における浄水器１０Ａの一例を示す第２の図である。
【図１３】本発明の一実施形態における制御装置１００の実装例を示すブロック図である。
【図１４】本発明の一実施形態における浄水器管理システム１の一例を示す図である。
【図１５】本発明の一実施形態における表示制御部２０２が表示部２０１に表示する画像の一例を示す第１の図である。
【図１６】本発明の一実施形態における表示制御部２０２が表示部２０１に表示する画像の一例を示す第２の図である。
【図１７】本発明の一実施形態における表示制御部２０２が表示部２０１に表示する画像の一例を示す第３の図である。
【図１８】本発明の一実施形態における起動画面の一例を示す図である。
【図１９】本発明の一実施形態における初回登録画面の一例を示す第１の図である。
【図２０】本発明の一実施形態における初回登録画面の一例を示す第２の図である。
【図２１】本発明の一実施形態における初回登録画面の一例を示す第３の図である。
【図２２】本発明の一実施形態における浄水器ステータス表示画面の一例を示す第１の図である。
【図２３】本発明の一実施形態における浄水器ステータス表示画面の一例を示す第２の図である。
【図２４】本発明の一実施形態における浄水器ステータス表示画面の一例を示す第３の図である。
【図２５】本発明の一実施形態における浄水器ステータス表示画面の一例を示す第４の図である。
【図２６】本発明の一実施形態における浄水器ステータス表示画面の一例を示す第５の図である。
【図２７】本発明の一実施形態における浄水器ステータス表示画面の一例を示す第６の図である。
【図２８】本発明の一実施形態における浄水器ステータス表示画面の一例を示す第７の図である。
【図２９】本発明の一実施形態における浄水器ステータス表示画面の一例を示す第８の図である。
【図３０】本発明の一実施形態におけるカートリッジ交換のメニュー画面の一例を示す図である。
【図３１】本発明の一実施形態におけるカートリッジ購入画面の一例を示す図である。
【図３２】本発明の一実施形態におけるカートリッジ交換方法表示画面の一例を示す第１の図である。
【図３３】本発明の一実施形態におけるカートリッジ交換方法表示画面の一例を示す第２の図である。
【図３４】本発明の一実施形態におけるカートリッジ交換方法表示画面の一例を示す第３の図である。
【図３５】本発明の一実施形態における電池交換方法表示画面の一例を示す図である。
【図３６】本発明の一実施形態における設定画面の一例を示す図である。
【図３７】本発明の一実施形態におけるプッシュ通知表示画面の一例を示す図である。
【発明を実施するための形態】
【００２２】
＜実施形態＞
以下、本発明の一実施形態による浄水器管理システムを図１〜図１０を参照して説明する。
図１は、本発明の一実施形態における浄水器管理システム１の概略図である。
浄水器管理システム１は、浄水器１０の利用状況を監視し、それによって、その浄水器１０のカートリッジの交換時期をユーザに案内するシステムである。浄水器管理システム１は、浄水器１０と、携帯通信装置２０と、ＰＣ（Personal Computer）端末３０と、分析サーバ装置４０と、ＥＣ（Electronic Commerce）サーバ装置５０を含む。携帯通信装置２０およびＰＣ端末３０と、分析サーバ装置４０と、ＥＣサーバ装置５０とはインターネット等のネットワークを介して通信可能に接続されている。また、携帯通信装置２０と浄水器１０とは、近距離無線通信によって通信可能に接続される。浄水器１０には、他の装置からの給電による近距離無線通信用の装置が備えられる。
本願における近距離無線通信はＮＦＣ（Near Field Communication）を指し、国際標準規格として承認された13.56MHzの近距離無線通信技術であり、ISO/IEC18092（NFC IP-1）、ISO/IEC21418（NFC IP‐2）などのICカードとRFID用無線通信技術である。ＮＦＣ（Near Field Communication）の具体的な通信技術として、Type1(TOPAZ)、Type2(MIFARE Ultralight)、Type3(Felica)、Type4（ISO／IEC14443）、Type 5（ISO／15693ベース）の5つのタイプ、NFCタグの共通データフォーマットとなるNDEF（NFC Data Exchange Format）や、通信で用いるレコードタイプ等の技術が挙げられる。
【００２３】
浄水器１０は、ユーザの家屋６０の水栓の蛇口に取り付けられた例えば直付け型の浄水器である。浄水器１０は、浄水、原水、シャワー等を切り替えて出水することができる。浄水器１０は、浄水モードで利用したときの浄水の流量、またはカートリッジ４へ流入する原水の流量の何れか一方、または両方を検出し、その結果（使用量情報）を記憶する機能を有している。また、浄水器１０は、他の装置からの給電による近距離無線通信用装置としてＮＦＣ通信モジュール（以下、ＮＦＣチップ）を内蔵しており、近距離無線通信を用いて携帯通信装置２０に、記憶した使用量情報を送信する。携帯通信装置２０とは、例えば、ユーザが所有するＮＦＣ機能を搭載したスマートフォン等のモバイル端末である。携帯通信装置２０は、ＮＦＣ通信に必要な機能を備えている。携帯通信装置２０は、浄水器１０のＮＦＣチップに給電して、ＮＦＣチップから使用量情報を受信する。また、携帯通信装置２０は、浄水器１０から受信した使用量情報を、ネットワークを介して分析サーバ装置４０へ送信する。
【００２４】
ＰＣ端末３０は、例えば、ユーザの家屋６０に設置されたコンピュータである。ユーザは携帯通信装置２０またはＰＣ端末３０を用いて分析サーバ装置４０やＥＣサーバ装置５０にアクセスする。
分析サーバ装置４０は、携帯通信装置２０から受信した使用量情報を蓄積し、浄水器１０の使用状況を分析する。そして、分析サーバ装置４０は、分析された使用状況のデータに基づいて浄水器１０のカートリッジの交換時期を判定したり、予測したりする。ＥＣサーバ装置５０は、ユーザによるカートリッジの注文を受け付ける。
【００２５】
図２は、本発明の一実施形態における浄水器１０の斜視図である。
図２に例示する浄水器１０は、主に略八角柱状の浄水器本体２と略円柱状のカートリッジ４とで構成されており、略水平方向に沿う浄水器本体２の一方の端部に対して略鉛直方向に沿うカートリッジ４の下部が結合されて略Ｌ字状を呈している。また、この浄水器１０は、その前後方向の中央断面（以下、単に中央断面と称す）で面対称となるように形成されている。ここで、この実施の形態において前後方向とは、蛇口３のアーム３ａに対して浄水器１０の上面視の長手方向が垂直となるように取り付けられた状態で、蛇口３の正面つまりアーム３ａの延長線上に立った使用者から見た前後方向をいう。なお、浄水器本体２は略八角柱状に限られるものではない。
【００２６】
浄水器１０は、中央断面を基準として面対称となるケース本体５で覆われている。ケース本体５上部の略中央には、蛇口３から原水である水道水を受け入れる受入口（原水受入口）７が形成され、この受入口７がリング状の取付治具８を介して蛇口３の吐出口に取り付けられている。浄水器本体２には、切換操作部６が設けられている。切換操作部６は、浄水器本体２の長手方向に沿う回動軸の周りを前後方向に回動可能に形成されている。切換操作部６を操作することで、受入口７に供給された水道水の流路を切り替え、浄水器本体２の底部に設けられた原水出口、または、シャワー出口、あるいは、カートリッジ４の低部に設けられた浄水出口、の何れか一つから吐出させることができる。例えば、切換操作部６を、前後方向の奥側に回動させると、カートリッジ４内の濾過材で濾過した浄水が浄水出口から吐出される。また、切換操作部６を、前後方向の手前側に回動させると、原水が直接原水出口から吐出される。また、切換操作部６を、前後方向の中間位置に回動させると、シャワー出口からシャワー状の原水が吐出される。各出口に対応する切換操作部６の切り替え位置をそれぞれ、浄水位置、シャワー位置、原水位置と呼ぶ。
【００２７】
なお、浄水器本体２には、カートリッジ４へ流入する原水の流量を検出する流量検出部１２０と、ＮＦＣチップを含む制御回路基板により構成された制御装置１００、それらに電力を供給する電源部１１０が内蔵されている。
流量検出部１２０は、内部に磁石を有し上流から下流へ流過する流体の流量に応じた速さで回転する軸流式の羽根車（図示せず）と、この羽根車の回転に伴って変位する磁束密度を検知する回転数検知部（図示せず）と、回転数検知部の検知結果に基づき流量を演算する演算部（図示せず）とを備えて構成されている。流量検出部１２０の羽根車は、切換操作部６の切り替え位置が浄水位置に設定されたときの、受入口７から流入する原水をカートリッジ４へ送るための流路に設けられている。流量検出部１２０は、検出した流量の情報を制御装置１００に出力する。制御装置１００は、記録処理として、流量の情報を取得し、内蔵する記憶部１０３に記録する。また、制御装置１００は、携帯通信装置２０が主導するＮＦＣ通信によって、使用量情報を携帯通信装置２０へ送信する。制御装置１００の詳細については、次に図３を用いて説明する。また、浄水器本体２の背面側（紙面奥側）のケース本体５の内部には電池収納部（図示せず）が設けられ、電池収納部にはボタン電池（電源部１１０）が収納されている。電源部１１０は、流量検出部１２０と制御装置１００とに電力を供給する。
【００２８】
図３は、本発明の一実施形態における浄水器管理システム１の機能ブロック図である。
図３に示す浄水器１０、携帯通信装置２０、分析サーバ装置４０の機能は、本実施形態に関係する機能を示したものであって、他の機能を有していても良い。
図３に示すように浄水器１０は、制御装置１００と、電源部１１０と、流量検出部１２０とを備える。図２を用いて説明したように流量検出部１２０は、カートリッジ４へ流入する原水の流量を検出する。電源部１１０は、流量検出部１２０と、制御装置１００とに電力を供給するボタン電池である。ボタン電池は、流量検出部１２０により検出した流量の情報を制御装置１００に出力する検出処理と、流量の情報を取得し、書込制御部１０２の記憶部１０３へ記録する記録処理について電力を供給するが、この電力はＮＦＣ通信には使用されない。
制御装置１００は、入力部１０１と、書込制御部１０２と、記憶部１０３と、通信部１０４とを備える。制御装置１００は、ＮＦＣチップを含んで構成される。
入力部１０１は、流量検出部１２０が検出した流量の情報を入力する。入力部１０１は、流量の情報を書込制御部１０２に出力する。
書込制御部１０２は、入力部１０１から取得した流量の情報を記憶部１０３に書き込む。また、書込制御部１０２は、携帯通信装置２０へ送信した流量の情報を含む使用量情報を記憶部１０３から削除する。
記憶部１０３は、例えばＮＦＣチップの備える記憶媒体であって、流量検出部１２０から取得した使用量情報を記憶する。なお、使用量情報とは、流量検出部１２０が検出した流量の情報に基づくカートリッジの使用状況を示す情報である。使用量情報の具体的な内容については後述するが、例えば、流量検出部１２０が検出した１日分の流量もその一つである。
通信部１０４は、記憶部１０３が記憶する使用量情報を携帯通信装置２０へ送信する。通信部１０４は、例えば、ＮＦＣチップにおけるアンテナである。
ＮＦＣチップは、携帯通信装置２０との通信、および携帯通信装置２０からのワイヤレス給電を行う上で、数センチ（最大１０センチ程度）の至近距離での操作を要するが、このため、浄水器１０におけるＮＦＣチップの配置は、浄水器１０と携帯通信装置２０との位置関係を考慮した配置となる。
浄水器１０の上面部や、上面の正面側斜面、または、正面側にＮＦＣチップを内蔵すると、ユーザが浄水器１０と携帯通信装置２０とを近接させて通信を行う際、携帯通信装置２０の表示部２０１を視認可能な状態で通信操作を行えるので通信操作を行い易い。また、より通信操作を確実にするために、浄水器１０にＮＦＣチップが内蔵されている場所（携帯通信装置２０を近づける場所）を示す目印を設けた場合や、通信操作が正常に行われたことを示す情報を携帯通信装置２０の表示部２０１に表示させた場合においては、浄水器１０の上面部や、上面の正面側斜面、または、正面側にＮＦＣチップを内蔵していると、ユーザが視認しやすいため好適である。特に浄水器１０の上面部や、上面の正面側斜面であると、ユーザの目線の位置関係から、より携帯通信装置２０の表示部２０１や、浄水器１０にＮＦＣチップが内蔵されている場所（携帯通信装置２０を近づける場所）を示す目印が見易くなる。
一方、浄水器１０のデザインや構造上の制約から、必ずしも浄水器１０の上面部や、上面の正面側斜面、または、正面側にＮＦＣチップを内蔵できるとは限らない。この場合、浄水器の側面側や下面側にＮＦＣチップを内蔵しても良い。浄水器１０と携帯通信装置２０とを近接させて通信を行う際に、ユーザが必ず非接触の状態で通信操作を行うとは限らず、接触状態となる可能性がある。浄水器１０が取り付けられている蛇口３は、通常左右方向に回動するようになっているので、浄水器１０の側面側にＮＦＣチップを内蔵させると、浄水器１０と携帯通信装置２０とが接触状態となった場合に蛇口３が左右に振れることから、蛇口３に負荷が掛かることを防ぐことができる。また、下面側であれば、下から上に携帯通信装置２０を持ち上げる動作になることから、浄水器１０と携帯通信装置２０とが接触状態となった場合に、蛇口３に掛かる負荷は、浄水器１０の上面部や、上面の正面側斜面、または、正面側にＮＦＣチップを内蔵する場合に比べて小さくなる。
浄水器１０と携帯通信装置２０とが接触状態とならないよう、非接触の状態で通信が正常に行われていることをユーザが認識できるように、上述の通信操作が正常に行われたことを示す情報を携帯通信装置２０の表示部２０１に表示させる他、浄水器１０に光や音による報知手段を設けたり、携帯通信装置２０に光や音や振動による報知方法を持たせても良い。
【００２９】
図３に示すように携帯通信装置２０は、表示部２０１と、表示制御部２０２と、ＮＦＣ機能部２０３と、通信部２０４とを備える。
表示部２０１は、例えばタッチパネル等による入力機能を備えるディスプレイである。
表示制御部２０２は通常、演算部（プロセッサ、ＣＰＵ、制御部、処理装置等）および記憶部（ＲＡＭ等のメインメモリ、ＨＤＤ／ＳＤＤ等のストレージ、レジスタやキャッシュメモリ等）から構成される。ユーザは、例えば浄水器１０を購入すると、メーカのサーバやサイトにアクセスする等して、アプリケーションを、携帯通信装置２０へインストールすることができる。アプリケーションは表示制御部２０２により実行される。表示制御部２０２を構成する演算部（プロセッサ、ＣＰＵ、制御部、処理装置等）および記憶部（ＲＡＭ等のメインメモリ、ＨＤＤ／ＳＤＤ等のストレージ、レジスタやキャッシュメモリ等）は、アプリケーションを実行することにより、表示部２０１にカートリッジ４の交換を促すメッセージを表示するための情報を出力する。あるいは、表示制御部２０２は、ユーザが購入すべきカートリッジ４の種類（品番）を案内する情報を出力したり、購入先の情報を出力したりする。
浄水器１０からの使用量情報の取得、取得した使用量情報の分析サーバ装置４０への送信の制御等も行える。
ＮＦＣ機能部２０３は、ＮＦＣによって浄水器１０と通信し、リード・ライト機能のリーダライタ部を有するＮＦＣモジュールである。ＮＦＣ機能部２０３は、浄水器１０へ通信信号（搬送波）を介して制御装置１００のＮＦＣチップに電力を供給し、通信部１０４（アンテナ）を介して記憶部１０３に記録された使用量情報を受信する。制御装置１００のＮＦＣチップへの他の装置からの給電方法としては、上述のように、ＮＦＣ機能部２０３を制御装置１００のＮＦＣチップへ近接させ、電磁誘導方式によりＮＦＣ機能部２０３から制御装置１００のＮＦＣチップへワイヤレス給電する。給電方法としては、電磁誘導によるワイヤレス給電だけではなく、電波受信方式や磁気共鳴方式のワイヤレス給電を採用しても良い。
通信部２０４は、Ｗｉ-Ｆｉ（登録商標）等の無線通信によってインターネット等のネットワークを介して分析サーバ装置４０およびＥＣサーバ装置５０と通信を行う。通信部２０４と分析サーバ装置４０およびＥＣサーバ装置５０と通信は、Ｗｉ-Ｆｉ（登録商標）等の無線通信によってネットワークを介して行う方法の他、携帯通信会社の通信ネットワークを介する等、適宜、選択可能である。
【００３０】
図３に示すように分析サーバ装置４０は、データ収集部４０１と、データ更新部４０２と、判定部４０３と、予測部４０４と、分析部４０５と、記憶部４０６と、通信部４０７とを備える。分析サーバ装置４０は、例えば、浄水器１０のメーカが管理するデータセンタ等に設置されており、全国のユーザが所有する携帯通信装置２０から使用量情報を収集し、収集した使用量情報を蓄積する。分析サーバ装置４０は、収集した使用量情報から浄水器１０別にカートリッジ４の交換時期が到来したかどうかを判定したり、カートリッジ４の交換時期を予測したりする。
データ収集部４０１は、携帯通信装置２０から通信部４０７が受信した使用量情報を取得する。データ収集部４０１は、取得した使用量情報をデータ更新部４０２へ出力する。
データ更新部４０２は、データ収集部４０１が取得した使用量情報を記憶部４０６に記録する。
判定部４０３は、データ収集部４０１が取得した使用量情報に基づいて、その使用量情報に対応する浄水器１０のカートリッジ４が交換時期を迎えているかどうかを判定する。
予測部４０４は、記憶部４０６に蓄積された使用量情報の分析に基づくカートリッジ４の交換時期の予測を行う。
分析部４０５は、記憶部４０６に蓄積された使用量情報を各種統計的手法、機械学習などの方法を用いて分析する。例えば、分析部４０５は、過去の浄水の使用実績に基づいて、季節変動などを考慮したカートリッジ４の交換時期を予測するための予測モデルを構築する。また、分析部４０５は、例えば、記憶部４０６に蓄積された使用量情報に基づいて地域ごとのカートリッジ４の消耗度の傾向を分析する。
記憶部４０６は、ＨＤＤ（Hard Disk Drive）などの記憶装置である。記憶部４０６は、複数の携帯通信装置２０から取得した使用量情報を記憶する。
通信部４０７は、ネットワークを介して携帯通信装置２０、ＰＣ端末３０と通信を行う。
【００３１】
図４は、本発明の一実施形態における浄水器１０と携帯通信装置２０との使用量情報の通信を説明する図である。
図４において、流し台１１の上に水栓本体９が設置されている。水栓本体９に設けられた蛇口３の先端には、浄水器１０が取り付けられている。ユーザが浄水を利用すると、カートリッジ４に流入する原水の流量が流量検出部１２０によって検出され、制御装置１００（記憶部１０３）に記録される。
ユーザが、アプリケーションを起動させると、アプリケーションの指示によりＮＦＣ機能部２０３が通信信号の送出を開始する。その状態でユーザが携帯通信装置２０を浄水器１０に近接させる。すると、ＮＦＣ機能部２０３が通信部１０４との通信を行って、浄水器１０から使用量情報を読み取る。また、アプリケーションは、読み取った使用量情報を、通信部２０４を介して分析サーバ装置４０へ送信するように指示され、送信が行われる。このようにして、各ユーザが使用している浄水器１０でのカートリッジの使用量情報が、分析サーバ装置４０へと収集される。
【００３２】
図５は、本発明の一実施形態における浄水器１０が記憶する使用量情報と携帯通信装置２０による使用量情報の読み取り処理との関係を説明する図である。
図５に示す表のうち左３列は、浄水器１０の記憶部１０３に記録された使用量情報の一部を示す。「日数」欄の値はカートリッジ４が使用開始されてからの日数である。例えば、制御装置１００には日数カウント用の回路が実装されていて、書込制御部１０２は、この回路からカートリッジ４の使用開始後の経過日数を取得して、浄水の使用量情報と共に記憶部１０３に記録する。「実使用量」欄の値はカートリッジ４に流入する１日あたりの原水の流量である。書込制御部１０２は、日ごとに流量検出部１２０がその日に検出した流量の情報を取得して、日数情報と対応付けて記憶部１０３に記録する。「本体積算使用量」欄の値はカートリッジ４の実使用量の積算値（累積値）である。書込制御部１０２は、日ごとの流量の情報（「実使用量」）を積算して、日数情報と対応付けて記憶部１０３に記録する。
例えば、「日数」の値が「２」の行のデータは、カートリッジ４の使用開始から２日目の実使用量は１５Ｌで、１〜２日の間の実使用量の積算値は２５Ｌ（１日目：１０Ｌ、２日目１５Ｌ）であることを示している。
【００３３】
図５に示す表のうち左から４列目と５列目は、携帯通信装置２０による使用量情報の読み取り処理と読み取り処理ごとに行われる積算値のリセット処理を示している。読み取り処理とは、携帯通信装置２０の給電により、携帯通信装置２０と制御装置１００が通信を行って、携帯通信装置２０が記憶部１０３の使用量情報を受信することである。
日数「３」の行のデータの「ＮＦＣ」欄の値「Ｐ」は、ユーザが携帯通信装置２０を、浄水器１０に近づけ、使用量情報の読み取り処理が行われたことを示す。同じ行の「リセット」欄の値「０Ｌ」は、記憶部１０３の積算値を０にリセットすることを示している。
例えば、「日数」の値が「３」の行のデータは、カートリッジ４の使用開始から３日目の実使用量は２０Ｌで、１〜３日の間の実使用量の積算値は４５Ｌ（「本体積算使用量」）であり、その後、ユーザが携帯通信装置２０を浄水器１０に近づけ、読み取り処理を行ったことを示している。読み取り処理を行うと、携帯通信装置２０のＮＦＣ機能部２０３が日数１〜３の実使用量（１日目：１０Ｌ、２日目：１５Ｌ、３日目：２０Ｌ）、本体積算使用量（４５Ｌ）の情報を読み取る。浄水器１０の制御装置１００では、それらの情報の送信が完了すると、書込制御部１０２が記憶部１０３に記録された１〜３日目の実使用量と本体積算使用量の情報を消去する。その結果、「リセット」欄の値が示すように「本体積算」の値は「０Ｌ」となる。
【００３４】
一方、携帯通信装置２０では、アプリケーションが、記憶部１０３から読み取った１〜３日目の実使用量と本体積算の情報を、通信部２０４を介して分析サーバ装置４０へ送信するように指示され、送信が行われる。分析サーバ装置４０では、データ収集部４０１がその情報を取得し、記憶部４０６へ記録する。つまり、浄水器１０の本体積算の値はクリアされるが、分析サーバ装置４０には本体積算の値が残存される。
次に日数「４」の行のデータを見ると、「本体積算」の値は、再度０から始まるので４日目の実使用量「５Ｌ」と同じ値となっている。
【００３５】
次に日数「５」の行のデータを見ると、「ＮＦＣ」欄に読み取り処理が行われたことを示す「Ｐ」の値が記載されている。読み取り処理の結果、４〜５日目の本体積算値１５Ｌが分析サーバ装置４０へ送信され、分析サーバ装置４０には６０Ｌ（４５Ｌ＋１５Ｌ）が記録される。
【００３６】
次に浄水器１０、携帯通信装置２０、分析サーバ装置４０間の使用量情報の流れについて説明する。
図６は、本発明の一実施形態における使用量情報の通信処理の一例を示すフローチャートである。
前提として、浄水器１０では、流量検出部１２０がカートリッジ４に流入する水の流量を検出している（ステップＳ１１）。また、制御装置１００では、入力部１０１が定期的に流量検出部１２０が検出した使用量情報を取得して、その値を書込制御部１０２に出力する。書込制御部１０２は、１日分の使用量情報を１日ごとにカートリッジ４の使用日数と対応付けて記憶部１０３に記録する。さらに書込制御部１０２は、１日分の使用量情報を日ごとに合計して、前回読み取り処理を行ってからの使用量情報の積算値を算出する。書込制御部１０２は、積算値をカートリッジ４の使用日数と対応付けて記憶部１０３に記録する。
【００３７】
次にユーザは、携帯通信装置２０にインストールされた浄水器１０からの使用量情報読み取りのためのアプリケーションを起動する（ステップＳ１２）。アプリケーションが起動すると、アプリケーションの指示により、ＮＦＣ機能部２０３がＮＦＣによる通信信号の送出を開始する。ユーザは、携帯通信装置２０を浄水器１０の制御装置１００が内蔵されている位置（ＮＦＣチップの位置）に近づける。浄水器１０側では、通信部１０４が、ＮＦＣ機能部２０３の送出した通信信号によってワイヤレス給電を受け、通信を開始する。通信部１０４は、記憶部１０３の使用量情報を送信する（ステップＳ１３）。ここで、使用量情報とは、浄水器１０の識別情報と、カートリッジ４の使用開始後の日数と、日数に対応付けられた流量の情報と、流量の積算値と、を含む。使用量情報を送信すると書込制御部１０２は、記憶部１０３に記録された使用量情報を削除する（ステップＳ１４）。
【００３８】
一方、携帯通信装置２０では、ＮＦＣ機能部２０３が使用量情報を受信する。ここで、アプリケーションは、受信した使用量情報に、さらに携帯通信装置２０の識別情報と、携帯通信装置２０の位置情報とを加えても良い。携帯通信装置２０の位置情報は、例えば、携帯通信装置２０のＧＰＳ機能によって測位されたものである。アプリケーションは、ＮＦＣ機能部２０３が受信した使用量情報を、通信部２０４よりネットワークを介して分析サーバ装置４０へ送信するように指示され、送信が行われる（ステップＳ１５）。
【００３９】
分析サーバ装置４０では、データ収集部４０１が、通信部４０７を介して、携帯通信装置２０が送信した使用量情報を取得する。データ収集部４０１は、使用量情報をデータ更新部４０２へ出力する。データ更新部４０２は、使用量情報を記憶部４０６に書き込んで蓄積する（ステップＳ１６）。このとき、図５を用いて説明したように、データ更新部４０２は、浄水器１０の識別情報に対応する最新のデータを特定し、そのデータの流量の積算値に、今回取得した流量の積算値を加算する。加算後の値が累積使用量である。
実施形態として日ごとに使用量情報を記録する例をもって説明したが、時間ごとに制御装置１００に使用量情報を記録すると、１日に複数回、浄水器１０から使用量情報を読み取った場合も、カートリッジ４の１日当たりの実使用量をより正確に分析サーバ装置４０に記録することができる。また、浄水利用時ごとに使用量情報を制御装置１００に記録し、その情報をそのまま浄水器１０から読み取り分析サーバ４０に記録すると、ユーザの浄水利用状況をより正確に記録することができる。あるいは、データ更新部４０２は、使用日数を累積した累積使用日数を記録しても良い。データ更新部４０２は、累積使用量や累積使用日数を、通信部４０７を介して携帯通信装置２０へ送信する（ステップＳ１７）。携帯通信装置２０では、通信部２０４が累積使用量等の情報を受信する。表示制御部２０２は、累積使用量や累積使用日数などの情報を表示部２０１へ出力する。これらの表示により、ユーザは、カートリッジ４の使用状況を把握することができる。ユーザは、携帯通信装置２０のアプリケーションを終了する（ステップＳ１８）。
【００４０】
次に分析サーバ装置４０の判定部４０３は、最新の流量の積算値を記憶部４０６から読み出して、取得した使用量情報に係る浄水器１０のカートリッジ４が交換時期を迎えたかどうかを判定する（ステップＳ１９）。より具体的には、判定部４０３は、当該浄水器１０について記録された最新の流量の積算値が所定の閾値以上であれば、カートリッジ４は、交換時期を迎えたと判定する。また、最新の流量の積算値が所定の閾値未満であれば、判定部４０３は、カートリッジ４は、まだ交換時期を迎えていないと判定する。
なお、例えば分析部４０５が、平均流量（Ｌ／ｍｉｎ）を算出し、現在のカートリッジ４の使用開始時の流量に対する現時点での流量減少率を算出しても良い。また、例えば、分析部４０５が、使用量情報に基づいて、浄水の使用量を例えば５００ｍｌのペットボトルの本数やその本数に相当する金額に換算してもよい。
交換時期を迎えたと判定した場合、判定部４０３はその判定結果を、通信部４０７を介して、携帯通信装置２０へ送信する。つまり、分析サーバ装置４０は、携帯通信装置２０へ、交換時期の到来を、例えばプッシュ通知によって通知する（ステップＳ２０）。あるいは、分析サーバ装置４０は、交換時期の到来を電子メールによって、携帯通信装置２０のユーザ宛てに送信してもよい。また、分析サーバ装置４０は、上記の平均流量や流量減少率、あるいはペットボトルの換算値を送信しても良い。
【００４１】
携帯通信装置２０では、通信部２０４がこの通知を受信する。交換時期の到来を知らせる通知を受信すると、カートリッジ４の交換を促す情報を表示するアプリケーションが起動する。このアプリケーションの起動は、例えば携帯通信装置２０のＯＳ（operating system）が行う。表示制御部２０２により実行されたアプリケーションは、カートリッジ４の交換を促す情報を表示部２０１に出力し、表示部２０１は当該情報を表示する（ステップＳ２１）。例えば、通信部２０４が受信した交換時期の到来を示す情報には、浄水器１０の識別情報に対応するカートリッジ４の商品名などの情報が含まれていて、表示制御部２０２により実行されたアプリケーションは、カートリッジ４の交換を促すとともに購入すべきカートリッジ４を案内する情報を出力し、表示部２０１が当該情報を表示してもよい。なお、カートリッジの交換を促す表示を行う際には、カートリッジ交換を支援する情報として、交換の手順や留意事項などカートリッジの交換方法に関する情報を表示したり、また、使用済みのカートリッジの廃棄方法（例えば、可燃ごみかどうかなど）に関する情報を表示するようにしてもよい。なお、廃棄方法については、携帯通信装置２０の位置情報やユーザが予め登録した居住地域に関する情報と連動させ、その地域特有の廃棄の仕方などを案内するようにしてもよい。これにより、ユーザはカートリッジ交換を間違いなく行うことができ、利便性がさらに向上する。
また、分析サーバ装置４０が流量減少率を送信した場合、表示制御部２０２により実行されたアプリケーションは、ストレーナ（蛇口と浄水器本体とを接続するパッキン部の下にゴミを取り除くために設けられた金属メッシュ）の洗浄を促すメッセージやカートリッジ交換を促すメッセージ、あるいはカートリッジの交換時期が近づいてきていることを通知するメッセージなどを表示部２０１に出力し、表示部２０１は当該情報を表示しても良い。また、分析サーバ装置４０がペットボトル換算値を送信した場合、表示制御部２０２により実行されたアプリケーションは、使用した浄水の量に相当するペットボトルの本数やその本数のペットボトルを購入するのに必要な金額をエコ情報として表示部２０１に出力し、表示部２０１は当該情報を表示しても良い。ペットボトル換算値の表示を行うことにより、ユーザに浄水器の利用による節約効果を通知することができる。また、分析サーバ装置４０が平均流量を送信した場合、表示制御部２０２により実行されたアプリケーションは、例えば平均流量が２．９Ｌ／ｍｉｎ以下の場合、最適流量マークを表示部２０１に出力し、表示部２０１は当該情報を表示し、平均流量が３．０Ｌ／ｍｉｎ以上の場合、「もう少し蛇口を絞ってお使いください」等の情報を出力し、最適な流量での浄水の使用を促してもよい。
【００４２】
図７は、本発明の一実施形態において記憶部４０６に記録された使用量情報の一例を示す第１の図である。
図７に示すデータテーブル（累積使用量管理テーブル）には、浄水器１０の識別情報（例えば製造番号）、携帯通信装置２０の識別情報（例えばＭＡＣアドレス等）と対応付けて、その浄水器１０での累積使用量（流量の積算値）、カートリッジ４の累積使用日数が記録されている。
図６のフローチャートで説明したように判定部４０３は、累積使用量と閾値を比較して、そのカートリッジ４が交換時期かどうかを判定する。あるいは、判定部４０３は、累積使用日数を用いて、累積使用日数がカートリッジの交換時期を示す使用日数を超えていれば、カートリッジ４の交換時期であると判定し、累積使用日数が交換時期を示す使用日数未満であれば、まだカートリッジの交換時期ではないと判定してもよい。
また、判定部４０３は、カートリッジ４は使用期間が長くなるにつれ目詰まりが生じ流量が減少するという性質を利用して交換時期を判定してもよい。例えば、流量検出部１２０が検出する単位時間ごとの流量を分析サーバ装置４０へ送信するようにし、判定部４０３は、流量検出部１２０が検出する単位時間ごとの流量が所定の閾値よりも小さくなっていれば、カートリッジの交換時期であると判定してもよい。
なお、記憶部４０６には、浄水器１０の識別情報と対応付けて累積使用量の閾値や、累積使用日数の閾値が予め記録されており、判定部４０３は、この閾値を読み出して上記の判定を行う。
【００４３】
図８は、本発明の一実施形態において携帯通信装置２０が表示する案内情報の一例を示す図である。
図８の左図は、アプリケーションの指示により、表示部２０１に表示されるカートリッジの交換を促す画像の一例である。アプリケーションは、例えば、「浄水の使用量がＸＸＸＬを超えました。カートリッジの交換をおすすめします」等のメッセージを表示した画像を生成する。図８の左図に例示した画像について、ユーザが「詳しく見る」の位置をタッチする操作を行うと、アプリケーションは図８の中図に例示する画像情報を表示部２０１に出力し、表示部２０１に表示される。
【００４４】
図８の中図は、アプリケーションが表示部２０１に表示させる交換用に購入すべきカートリッジを案内する画像の一例である。アプリケーションは、購入すべきカートリッジの商品名やその商品のパッケージなどを表示した画像を生成する。図８の中図に例示した画像について、ユーザが「購入する」の位置をタッチする操作を行うと、アプリケーションは図８の右図に例示する画像を表示部２０１に表示させる。
【００４５】
図８の右図は、アプリケーションが表示部２０１に表示させるカートリッジ購入用画面の画像の一例である。ユーザは、この画面から自分が使用している浄水器１０に適したカートリッジを、適切なタイミングで簡単に購入することができる。
なお、ユーザは、図８の中図が示す商品情報を参照して、店頭にて新しいカートリッジ４を購入してもよい。
また、図８には、携帯通信装置２０の表示部２０１に表示する画像例を示したが、ユーザは、ＰＣ端末３０を用いて、分析サーバ装置４０が送信したカートリッジの交換を促す情報が記載されたメールを参照し、そのメールに記載された案内情報に従ってカートリッジの購入を行ってもよい。
【００４６】
次にユーザが、交換時期を迎えたカートリッジ４を、新しいカートリッジ４に交換したときの処理について図９を用いて説明する。
図９は、本発明の一実施形態におけるカートリッジ交換時の使用量情報のリセット処理の一例を示すフローチャートである。
説明の便宜のため、浄水器１０のカートリッジ４が交換時期を迎えたとする。まず、アプリケーションが、カートリッジ４が交換時期を迎えたこと、および、浄水器１０に適したカートリッジ４の案内情報を表示させたとする（ステップＳ３１）。ユーザが、その案内情報に従って、新たなカートリッジ４を購入する操作を行う。例えば、ユーザが、図８の右図で例示した画像について、ユーザが「購入手続きへ」の位置をタッチする操作を行う。すると、アプリケーションは、対象となる商品（「ＡＡＡ」）の購入指示情報を、通信部２０４を介して、ＥＣサーバ装置５０へ送信させる（ステップＳ３２）。ＥＣサーバ装置５０では、当該商品の決済、発送処理を行って（ステップＳ３３）、メーカは、カートリッジ「ＡＡＡ」をユーザへ発送する。
【００４７】
ユーザは、配送された新たなカートリッジ４を受け取ると、浄水器１０に新たなカートリッジ４を取り付ける。例えば、カートリッジ４の取り付け部分には、磁気的または電気的なスイッチ機構がカートリッジ４の取り付け部分または、浄水器１０に設けられており、ユーザが新たなカートリッジ４を取り付けるか、浄水器１０のリセット操作を行うと、このスイッチ機構の切り替えによる信号が、制御装置１００の入力部１０１に入力される。入力部１０１が切り替え信号を入力すると、書込制御部１０２が記憶部１０３に記録された使用量情報を消去する（ステップＳ３４）。つまり、「日数」、「実使用量」、「本体積算使用量」の各値には０が設定される。これにより、交換後の新たなカートリッジ４についての「日数」および「実使用量」および「本体積算使用量」の更新を０の状態から始めることができる。なお、新たなカートリッジ４を取り付ける場合は、初回使用時を含むものとする。
また、制御装置１００（記憶部１０３）の「日数」および「実使用量」および「本体積算使用量」の更新を０の状態から始める設定は、アプリケーションより、ＮＦＣ機能部２０３を介して、浄水器１０にリセット指示情報を送っても良い。
【００４８】
カートリッジ４の交換を終えたユーザは、アプリケーションを起動する（ステップＳ３５）。ユーザは、アプリケーションに対してリセット操作を入力する。例えば、アプリケーションは、表示部２０１に「リセット操作」と表示されたボタン画像を表示させ、ユーザがそのボタン画像の位置に対してタッチ操作する。浄水器１０の記憶部１０３の使用量情報がリセットされていた場合、アプリケーションは、リセット操作の入力を受け付ける（ステップＳ３６）。すると、アプリケーションは、通信部２０４を介して、リセット指示情報を分析サーバ装置４０へ送信させる（ステップＳ３７）。浄水器１０の記憶部１０３の使用量情報がリセットされていなかった場合、その旨を表示してもよい。
分析サーバ装置４０では、通信部４０７を介して、データ収集部４０１がリセット指示情報を取得し、データ更新部４０２へ出力する。データ更新部４０２は、リセット指示情報やその受信日を記憶部４０６に記録する。また、データ更新部４０２は、リセット指示情報に含まれる浄水器１０の識別情報に基づいて、使用量情報をリセットする（ステップＳ３８）。例えば、対象とする浄水器１０の識別情報が「００１」の場合、データ更新部４０２は、図７で例示した累積使用量管理テーブルの累積使用量および累積使用日数に０を設定する。これにより、分析サーバ装置４０における交換後の新たなカートリッジ４についての「累積使用量」および「累積使用日数」の更新を０の状態から始めることができる。
【００４９】
従来の浄水器におけるカートリッジ交換時期の通知システムでは、浄水器が備える通信装置がカートリッジの使用量情報を含んだビーコン信号等を所定の時間間隔で能動的に発信するよう構成されていた。定期的な通信は、多くの電力を消費するため、電源装置が必要となることが多かった。頻繁な通知受信により携帯端末の電池残量を消耗させていた。これに対し、本実施形態の浄水器１０が備える制御装置１００はＮＦＣチップにより通信を行う。この構成の場合、携帯通信装置２０からの電力の供給により通信を行うため通信による電力の消費が無くなる。そのため、本実施形態の浄水器１０は、内蔵するボタン電池だけで十分な電力を賄うことができ、電池交換なしに長く浄水器１０を利用することができる。通信による電力のための電源装置が必要ないので、浄水器１０の小型化、コストダウン、設置スペースの自由度が増すなどのメリットが得られる。そのため浄水器１０は、蛇口直結型の浄水器に適している。ユーザの都合により浄水器１０と携帯通信装置２０とを近接させて通信を行うことができるため、頻繁な通知受信による携帯端末の著しい電池残量消費を抑制することができる。
流し台のシンクでは、水だけではなくお湯を使う場合もある。特に蛇口直結型の浄水器の場合、シンクでお湯を使った際、浄水器全体が湯気にさらされる。寒い時期では浄水器本体内を水道水が通過することにより浄水器本体に結露が生じやすい。浄水器本体が湯気にさらされていたり、浄水器本体表面に結露が生じていた場合に電池交換を行うと、液密状態を保っていた電池蓋を外した際に電池収納部内に湿気が入り込み、電池収納部内の電装部品の劣化を招く。電池交換頻度を低減することにより、電池収納部内の電装部品の劣化を低減することができる。特に蛇口直結型の浄水器に好適である。
また、従来のビーコンによる通信方法の場合、ペアリング設定を行う必要があり手間がかかっていた。本実施形態の浄水器１０によれば、携帯通信装置２０を浄水器１０にかざすだけで通信を行うことができるので煩雑な作業を行う必要がない。
なお、浄水器１０にボタン電池の残量や残量が残りわずかであることを表示する表示部（液晶パネルなど）を設けたり、浄水器１０にＬＥＤランプ等を設け、ボタン電池の残量が少なくなったときにＬＥＤランプを点灯させる等して、ユーザに電池の交換タイミングを知らせるようにしてもよい。これにより、ユーザはボタン電池およびカートリッジ４を適切なタイミングで交換しながら安心して長期間浄水器１０を利用することができる。
【００５０】
また、本実施形態によれば、携帯通信装置２０の表示部２０１にて、浄水の使用量などの情報を表示させることができる。そのため、浄水器１０には使用量を表示させるためのディスプレイを設ける必要がない。これにより浄水器１０の小型化、コストダウンを実現することができる。また、浄水器１０にディスプレイを設けないことにより、ディスプレイへの情報の表示のために使用する電力を削減することができるので、ボタン電池の消費を低減することができる。
【００５１】
また、本実施形態によれば、分析サーバ装置４０は、カートリッジ４の交換タイミングを通知する。従って、ユーザは、カートリッジ交換の最適なタイミングを把握することができ、カートリッジ４の交換時期で悩む必要がない。また、分析サーバ装置４０が通知する交換タイミングでカートリッジ４を交換することで、常に適切に濾過された浄水を利用することができる。また、分析サーバ装置４０は、ユーザに適したカートリッジ４の購入案内情報を提供してくれるので、ユーザは、どのカートリッジを購入すればよいか悩むことなく、適切なカートリッジを購入することができる。また、携帯通信装置２０またはＰＣ端末３０を用いて、適切なカートリッジをインターネット上のＥＣサイトから購入することで、カートリッジ購入の手間を省くことができる。
【００５２】
なお、アプリケーションは、読み取り処理を行った日時を携帯通信装置２０の記憶部（図示せず）に記録させ、所定の期間（例えば１週間）が経過すると、「携帯通信装置２０を浄水器１０に近づけて使用量情報の読み取りを行ってください」といったメッセージを表示部２０１に表示するように指示しても良い。このようにすることで、ユーザに読み取り処理の実行を促し、定期的に使用量データを収集することができる。
ユーザに携帯通信装置２０を浄水器１０に近接させて使用量情報の読み取りを促す方法として、上述の他に、ユーザの読み取り処理の実行のモチベーションを高める方法により、読み取り処理の実行をより確実にユーザに行わせる。
例えば、所定の期間内での読み取り処理の実行毎に、ＥＣサイトで利用できるポイントをユーザに付加する。所定の期間内は、１日毎から最長１週間程度毎の期間で適宜設定可能である。読み取り処理の実行１回毎では、頻繁に読み取り処理を行うユーザが現れたり、１週間を超えると期間が空きすぎて、読み取り処理の実行をユーザが忘れてしまう可能性がある。また、読み取り処理を行うと、ユーザが楽しめるように携帯通信装置２０に動画やアニメーション、またはメッセージ等を表示したり、ゲームアプリケーション等の育成ソフトと連動させる等により、ユーザの読み取り処理を行う意欲を向上させることも考えられる。
【００５３】
これまでに、浄水器１０から送信される使用量情報に基づいて、カートリッジ４の交換時期を判定する実施形態について説明した。例えば毎日携帯通信装置２０を浄水器１０に近づけ読み取り処理を実行させるユーザであれば、上記の機能だけでも、適切な交換時期を通知することができる。しかし、ユーザは、読み取り処理の実施を忘れがちである。そのようなユーザに対しても適切な時期にカートリッジの交換を促す通知を行うことができるように、分析サーバ装置４０は、カートリッジ交換時期の予測機能を有している。
【００５４】
図１０は、本発明の一実施形態において記憶部４０６に記録された使用量情報の一例を示す第２の図である。
図７の累積使用量管理テーブルでは、あるユーザの浄水器１０（制御装置１００）から携帯通信装置２０を通じて送信されてくる使用量情報について、カートリッジ交換期限の判定を行う場合に必要な情報を例示した。
図１０に携帯通信装置２０から送信された使用量情報の履歴を蓄積するデータテーブル（使用量履歴テーブル）の一例を示す。使用量履歴テーブルは、全国の浄水器１０から送信された使用量情報のログデータである。例えば、使用量履歴テーブルには、「浄水器の識別情報」、その浄水器１０が使用されている「地域」、「携帯通信装置の識別情報」、「受信日」、「日数」、「実使用量」、「本体積算使用量」などの情報か記録される。「浄水器の識別情報」は、例えば、浄水器１０の製造番号、ＮＦＣモジュールの識別番号などで、カートリッジの種類の特定に用いられる。ＮＦＣモジュールの識別番号であれば、浄水器に新たに情報を付与することなく、そのまま流用するこができ効率的である。「地域」は、携帯通信装置２０で稼働するアプリケーションが送信指示する送信対象情報に含まれており、ＧＰＳ機能などで測位されたものであっても良いし、浄水器１０の新規購入時に携帯通信装置２０にアプリケーションをインストールする際にユーザに地域情報を入力してもらってもよい。また、予めユーザ登録により地域情報を入力してもらい、分析サーバ装置４０に記録してもよい。「携帯通信装置の識別情報」は、アプリケーションがインストールされた携帯通信装置２０を一意に特定できる情報（ＭＡＣアドレス、ＵＤＩＤなど）である。「受信日」は、分析サーバ装置４０が携帯通信装置２０から使用量情報を受信した日である。「日数」と「実使用量」と「本体積算使用量」は、図５で説明したように浄水器１０が備える制御装置１００の記憶部１０３に記録されていた情報である。
【００５５】
図１０に例示する使用量履歴テーブルの情報を用いて、分析部４０５は、携帯通信装置の識別情報ごとに、その携帯通信装置２０を使用するユーザの浄水器１０について、カートリッジ４の交換時期が何時頃になるのかを予測する予測モデルを構築する。例えば、分析部４０５は、使用量履歴テーブルに記録されている過去の使用量情報のうち「日数」と「実使用量」を用いて１日にどれぐらいの浄水を使用するかを計算し、計算した１日あたりの使用量から累積使用量が閾値に到達するまでの日数を求め、これを予測モデルとしてもよい。あるいは、分析部４０５は、「受信日」と「日数」から「実使用量」が示す使用が実際にあった月や季節を計算し、季節ごとに累積使用量が閾値に到達するまでの日数を算出してもよい。
このような予測モデルを構築することにより、浄水器１０の購入後しばらくは定期的に読み取り処理を行っていたユーザが、その後、読み取り処理を行わなくなり使用状況が検出できなくなった場合でも、過去に収集した使用量情報に基づいて構築した予測モデルを用いることで、ユーザにカートリッジ４の交換時期を通知することができる。
具体的には、過去の使用実績に基づいて推測されるカートリッジ交換時期が、新しいカートリッジ４を使用し始めてからＸ日後であった場合、予測部４０４は、最後に携帯通信装置２０からリセット指示情報を受信した日にＸ日を加算してカートリッジの交換時期を予測する。予測部４０４は、予測した交換時期が近付くと、携帯通信装置２０に交換時期の到来を示す情報を通知する。これにより、浄水器１０から意識が遠のいていたユーザに対しても、適切なタイミングでカートリッジの交換を促すことができる。
【００５６】
また、分析部４０５は、さらに「地域」の情報を用いて、地域ごとのカートリッジの消耗度の傾向を分析し、予測モデルに反映させてもよい。例えば、ある種類αの浄水器１０（同じ種類のカートリッジ４）について、地域Ａでの累積使用量が閾値に到達するまでの日数が平均「Ｘ１」日であったとする。また、地域Ｂについては平均「Ｘ２」日であるとする。このような場面で、地域Ａでは使用実績があり、地域Ｂでは使用実績の無い種類βの浄水器１０が地域Ｂでの使用され始めた場合、例えば、分析部４０５は、種類βの浄水器１０のカートリッジ交換時期について、地域Ａでの使用実績に基づいて構築した予測モデルに対して地域Ａと地域Ｂの差を考慮して補正した予測モデルを構築してもよい。（例えば、地域Ａでの閾値がＹ日の場合、地域ＢはＹ×（Ｘ２÷Ｘ１）とするなど。）
また、例えば１年前までは、ある種類αの浄水器１０（同じ種類のカートリッジ４）について分析部４０５が分析した累積使用量が閾値に到達するまでの日数が、地域Ａと地域Ｂの両方で平均「Ｘ１」日であったとする。しかし、現在は地域Ａについては平均「Ｘ１」日であるが、地域Ｂについては「Ｘ１」より短い平均「Ｘ２」日であるとする。このような場合、浄水器１０のメーカは、例えば、地域Ｂのユーザに対して、以前よりも早めにカートリッジ４を交換するよう呼びかけたり、それに備えて在庫の調整を行ったりといった対策を講じることができる。
【００５７】
なお、上記の実施形態では、判定部４０３を分析サーバ装置４０が備える構成としたが、図７で例示した累積使用量管理テーブルを携帯通信装置２０の記憶部に格納し、表示制御部２０２に判定部４０３と同様の機能部や、カートリッジ交換時期の判定に用いる閾値や、交換すべきカートリッジの商品情報を実装し、携帯通信装置２０側でカートリッジの交換時期を判定してもよい。このように構成した浄水器１０と携帯通信装置２０とを含む浄水器システムにより、個々の浄水器１０についてのカートリッジ交換時期の通知や、適切なカートリッジの案内を行うことができる。
【００５８】
また、上記の実施形態では、蛇口直結型の浄水器１０に制御装置１００を実装する例を記載したが浄水器の種類はこれに限定されない。例えば、シンク上に設置する据え置き型の浄水器に制御装置１００を実装してもよい。また、例えば、ポット型の浄水器の蓋に制御装置１００を実装してもよい。
【００５９】
また、例えば、アンダーシンク型、スパウトイン型、カウンターオン型等のビルトイン型の浄水器に適用してもよい。具体的には、アンダーシンク型の場合は、水栓のレバーハンドル内部、水栓吐水口の入水部や先端部、カートリッジ接続用のホースに制御装置１００を実装してもよい。スパウトイン型の場合は、水栓レバーハンドル内部、フロントレバー内部、シャワーヘッドとスパウトの本体間、シャワーヘッドの引出ホースに制御装置１００を実装してもよい。カウンターオン型の場合は、レバーハンドル内部、水栓吐水口と本体間、水栓吐水口の入水部や先端部に制御装置１００を実装してもよい。
【００６０】
アルカリ浄水器タイプの場合は、水栓のレバーハンドル内部、水栓吐水口の入水部や先端部、カートリッジ接続用のホース、アルカリ整水器本体内部に制御装置１００を実装してもよい。据え置き型、アンダーシンク型、ポット型、ビルトイン型の浄水器の場合、電源には、例えば家庭用の単相１００Ｖ電源を利用することができる。
【００６１】
なお、本実施形態の浄水器１０は、次のような機能を備えていてもよい。例えば、カートリッジ４の下流側に水質の分析装置（塩素計、ｐＨ計、ＴＤＳ(total dissolved solids)計等）及びその検出部を設置する。そして分析装置の分析結果を記憶部１０３に記録し、ユーザが携帯通信装置２０を浄水器１０に近接させると、分析結果が携帯通信装置２０へと送信されるようにする。これにより、浄水の水質状況をユーザに通知することが可能になる。また、ユーザは、水質の状況を把握でき、きめ細かな対応が可能となる。またユーザは浄水の水質の状況を把握することができ、より安心感を得る事ができる。
また、例えば、浄水器１０は、ソーラー発電装置、ＬＥＤ発電装置、水力発電装置（例えば、原水の流路に羽根車を設ける）、およびそれらが発電した電力を蓄電する蓄電装置を備える構成としてもよい。これにより、ボタン電池を備えない構成としたり、ボタン電池をバックアップ用の電源とする構成とすることができ、浄水器１０の省エネルギー化を図ることができる。
【００６２】
＜実施例＞
以下、実施形態の一具体例について説明するが、本実施形態は以下の記載によっては限定されない。
図１１は、本発明の一実施形態における浄水器１０Ａの一例を示す第１の図である。
図１２は、本発明の一実施形態における浄水器１０Ａの一例を示す第２の図である。
図１１に例示する浄水器１０Ａは、浄水器本体２Ａと円柱状のカートリッジ４Ａとで構成されている。浄水器１０Ａは、原水受入口７Ａを水道蛇口に着脱可能に接続する構造を有する、いわゆる蛇口直結型の浄水器であり、浄水器本体２Ａには切換操作部６Ａ、パネル部１０５Ａが取り付けられている。パネル部１０５Ａには、ＮＦＣアンテナとＬＥＤ（light emitting diode）１０６Ａが配置される。浄水器本体２Ａには、流量検出部１２０と、制御装置１００、それらに電力を供給する電源部１１０が内蔵されている。制御装置１００は、図２で説明した機能に加え、流量検出部１２０が検出した浄水の単位時間当たりの流量（例えばＬ/min）が適切かどうかを判定し、その結果によってＬＥＤ１０６Ａを点灯したり消灯したりする機能を有する。例えば、流量が適切な範囲内であれば、制御装置１００は、ＬＥＤ１０６Ａを点灯させ、流量が不適切（流量が大きすぎる等）な場合は消灯する。また、ユーザが、アプリケーションを起動させた状態で、携帯通信装置２０を浄水器１０Ａのパネル部１０５Ａに近接させる。すると、ＮＦＣ通信が開始され、携帯通信装置２０は、浄水器１０Ａから使用量情報を読み取る。なお、制御装置１００は、浄水器本体２Ａの内部のパネル部１０５Ａの裏側に設けられた防水性を確保したケース内に設けられている。
【００６３】
図１２の中図に浄水器１０Ａを上方（蛇口側）から見た図を、下図に浄水器１０Ａを下方（原水、浄水等の出口側）から見た図を、図１２の上図に浄水器１０ＡのＡ−Ａ断面図を示す。図１２の中図に示すように浄水器本体２Ａは略Ｌ字状であり、原水受入口７Ａから供給された水道水は、切換操作部６Ａの操作によって、浄水器本体２Ａの底部に設けられた浄水出口９Ａ、シャワー出口９Ｂ、原水出口９Ｃの何れか一つから流出する。切換操作部６Ａが、浄水位置に切り替えられると、水道水は、中図の矢印１２２ａ、上図の矢印１２２ｂが示す流路を経由してカートリッジ４Ａに供給される。カートリッジ４Ａの濾過材で濾過された浄水は、上図に示す矢印１２２ｃ、１２２ｄが示す流路を経由して浄水出口９Ａから吐出される。矢印１２２ｃ、１２２ｄが示す流路の途中には、流量検出部１２０が設けられる。具体的には、浄水が通過する流路を通過する水流によって一方向に回転する羽根車が設けられるとともに、この羽根車の軸内に磁石を取り付け、磁石の回転数がリードスイッチ等の磁気検出手段によって検出されるように構成される。磁石の回転数は羽根車の回転数に比例し流量の増減を反映するため、リードスイッチで検出される回転数を、制御装置１００が演算して、流量や積算流量など必要な情報を算出し、それを記憶部１０３に記録する。また、下図に示すように浄水器本体２Ａの背面側には電池収納部１１１Ａが設けられ、電池収納部１１１Ａにはボタン電池（電源部１１０）が収納される。電源部１１０は、流量検出部１２０と制御装置１００とに電力を供給する。
【００６４】
図１３は、本発明の一実施形態における制御装置１００の実装例を示すブロック図である。
制御装置１００は、マイコン（microcomputer）Ａ１０、電池収納部１１１Ａ（電池ケース）、流量検出部１２０（流量センサ）、ＮＦＣチップＡ１４（ＮＦＣモジュール）、ＬＥＤ１０６Ａで構成される。電池収納部１１１Ａには、ボタン電池（電源部１１０）が格納される。また、マイコンＡ１０は、入力部１０１、書込制御部１０２、記憶部１０３に相当するデータフラッシュＲＯＭ（read only memory）を備えている。また、マイコンＡ１０は、流量検出部１２０が検出した浄水の流量に応じてＬＥＤ１０６Ａの点灯・消灯を制御する。さらにマイコンＡ１０は、電源電圧（ボタン電池の電圧）を検知して、検知した電圧が所定の閾値以下（低電圧）の場合、電圧の情報をＮＦＣチップＡ１４へ出力する機能を有している。ＮＦＣチップＡ１４は、通信部１０４を備える。
【００６５】
切換操作部６Ａが浄水位置にあると、流量検出部１２０が備える磁石Ａ１３が回転し、流量検出部１２０が備えるリードスイッチＡ１５がオン・オフする。流量検出部１２０は、浄水の流量に応じたデューティ比や周波数を有するセンサ信号を出力し、マイコンＡ１０は、このセンサ信号を取得してセンサ信号の周波数等から浄水の流量を算出し、流量が適切かどうかを判定する。流量が適切であれば、マイコンＡ１０はＬＥＤ１０６Ａを点灯させる。また、マイコンＡ１０は、取得したセンサ信号が示す流量を積算して１日分の浄水使用量を算出し、この値を記憶する。マイコンＡ１０は、このほかにもカートリッジ４Ａ交換後の経過日数や流量積算値などを算出し記憶する。また、ユーザが、携帯通信装置２０をＮＦＣチップＡ１４へ近接させると、マイコンＡ１０は、ＮＦＣチップＡ１４を介して使用量情報（浄水器１０Ａの識別情報、カートリッジ４Ａの使用日数と、日々使用した流量の情報、流量の積算値）を、携帯通信装置２０へ送信する。また、マイコンＡ１０は、電源電圧が低電圧となった場合、電源電圧が低電圧となったことを、ＮＦＣチップＡ１４を介して、携帯通信装置２０に通知する。なお、電源電圧が低電圧であることを判定するための閾値は、多段階（例えば、３段階）に設定されていて、マイコンＡ１０は、携帯通信装置２０にどの段階の閾値を下回ったかを通知する。後述するように、携帯通信装置２０では、表示制御部２０２がボタン電池の残量に応じた情報を出力し、表示部２０１が当該情報を表示する。この表示により、ユーザは、ボタン電池の残量の程度を把握することができる。
【００６６】
図１４は、本発明の一実施形態における浄水器管理システム１の一例を示す図である。
図６等で説明したとおり、ユーザが、携帯通信装置２０をＮＦＣチップＡ１４へ近接させると、携帯通信装置２０は、使用量情報を浄水器１０Ａから取得し、使用量情報を分析サーバ装置４０へ送信する。分析サーバ装置４０では、使用量情報が蓄積され、浄水器１０Ａごとにカートリッジ４Ａの交換時期の予測が行われる。そして、交換時期が近付くと、予測部４０４は、交換時期が近付いていることを示す情報を、当該カートリッジを使用しているユーザの携帯通信装置２０へ通知する。その際、一般に提供されているプッシュ通知を行うサービスを利用しても良い。具体的には、予測部４０４は、通知したいユーザを特定する情報、プッシュ通知を行う日時、通知内容（メッセージ）などの情報を、プッシュ通知サービスを提供する企業のプッシュ通知用サーバ４１に登録する。プッシュ通知用サーバ４１は、指定された日時に、「交換時期が近づいています」等のメッセージを対象となるユーザの携帯通信装置２０へ通知する。
【００６７】
図１５は、本発明の一実施形態における表示制御部２０２が表示部２０１に出力し、表示部２０１が表示する画像の一例を示す第１の図である。図１６は、本発明の一実施形態における表示制御部２０２が表示部２０１に出力し、表示部２０１が表示する画像の一例を示す第２の図である。図１７は、本発明の一実施形態における表示制御部２０２が表示部２０１に出力し、表示部２０１が表示する画像の一例を示す第３の図である。
図１５にアプリケーションによって表示部２０１に表示される画像（画面）の遷移を示す。ユーザが、アプリケーションを起動すると、起動画面が表示される（画面１）。起動画面では、いわゆるスプラッシュ表示等が行われ、次の画面に遷移する。まず、購入後、またはカートリッジ交換後の初回起動時には、購入店登録画面が表示される（画面２）。購入店登録画面の例を図１６の左図に示す。ユーザは、ＥＣサイトで購入するか、実際の店舗で購入するかを選択し、ＥＣサイトで購入する場合は「ＥＣサイトで購入」ボタンを、実際の店舗で購入する場合は「購入店舗記入」ボタンを押下する。「購入店舗記入」ボタンが押下された場合、アプリケーションは表示制御部２０２に対して店舗の名称などを記入する画面を表示する情報を出力させ、表示部２０１は当該情報を表示する。ユーザは店舗の名称等を記入、登録する。
【００６８】
初回起動時ではない場合や、購入店登録画面で購入店舗等の登録が完了すると、情報表示画面（メイン画面）が表示される（画面３）。情報表示画面では、計測データが表示される。情報表示画面の例を図１６の右図に示す。図示するように情報表示画面では、使用している浄水器１０Ａおよびカートリッジ４Ａの型番、浄水の使用量（ペットボトル何本分使用したか、または、その分量のペットボトルを購入したときの金額に換算して表示）、カートリッジ残量（あと何Ｌ使用できるかを表示）、カートリッジの交換予定日、電池残量（４段階で表示）、最後にユーザが携帯通信装置２０を浄水器１０Ａへ近接させた日時を表示する。なお、電池残量は、残量に応じて色別に表示し、例えば、残量が最小の段階を下回った場合は赤色で表示してもよい。また、情報表示画面には、例えば「浄水器にタッチして情報を更新」といった浄水器１０と携帯通信装置２０とを近接させて通信を行う操作を促す情報が表示されていて、ユーザが通信操作を行うと、上記の浄水の使用量、電池の残量等の情報が更新される。
【００６９】
また、情報表示画面には、「カートリッジ・電池交換」等の消耗品を購入する画面へ誘導する情報（ボタンやリンク等）が表示されていて、ユーザがこの表示箇所を押下すると、カートリッジや電池を購入するための購入誘導画面（画面４）が表示される。購入誘導画面の例を図１７に示す。図１７の左図は、初回起動時にＥＣサイトを選択した場合に表示される購入誘導画面である。購入誘導画面には、ユーザが使用する浄水器１０Ａに適したカートリッジの選択肢が表示される。ユーザは、「オンラインストアへ」ボタンを押下し、選択肢の中から選んだカートリッジを購入する。図１７の右図は、初回起動時に購入店舗を登録した場合に表示される購入誘導画面である。購入誘導画面には、ユーザが使用する浄水器１０Ａに適したカートリッジの選択肢が表示される。また、購入誘導画面には、ユーザが購入店登録画面（画面２）で登録した店舗名とその店舗で購入することを薦めるメッセージが表示される。さらに、購入誘導画面には、ユーザがＥＣサイトからも購入することができるように「オンラインストアへ」ボタンが表示される。
図１７では、カートリッジの購入に関する画面を例示したが、ボタン電池の購入を誘導する画面が表示されても良い。
また、図１４で説明したプッシュ通知が表示された場合、ユーザがそのプッシュ通知によって表示されたメッセージをタップ操作すると、図１７で例示した画面が表示される。
【００７０】
ユーザは、購入誘導画面にてカートリッジ４Ａを購入すると、購入したカートリッジ４Ａを浄水器１０Ａに取り付ける。また、購入誘導画面でカートリッジ購入後に表示される画面には、カートリッジ４Ａの交換方法を案内したり、次画面へ誘導する情報（「次へ」ボタン等）が表示される。カートリッジ４Ａを交換したユーザは、「次へ」ボタンを押下する。するとアプリケーションにより制御された表示制御部２０２が、カートリッジ交換後の操作を案内する交換後リセット画面（画面５）の情報を出力し、表示部２０１は当該情報を表示する。交換後リセット画面では、カートリッジ交換完了後に、浄水器１０と携帯通信装置２０とを近接させて通信を行うことを促す情報（例えば、「携帯端末装置を浄水器に１秒以上タッチしてください」等）が表示される。この案内に従ってユーザがタッチ操作を行うと、ＮＦＣチップＡ１４を介して浄水器１０Ａにリセット命令が通知され、図９で説明したリセット処理が実行される。
【００７１】
なお、例えば情報表示画面の右上端に設定画面の呼び出しボタンが配置されていて、このボタンを押下すると、設定画面が表示されても良い。設定画面では、使用中の浄水器１０Ａやカートリッジ４Ａの型番が確認できる。また、浄水器１０Ａの購入店舗の変更やアプリケーションの利用規約、アプリケーションで使用しているＯＳＳ（Open Source Software）のライセンスに関する情報を表示することができる（画面６）。
【００７２】
次に本実施形態による電力消費量の低減効果について説明する。
浄水器１０Ａについて、消費電流量（電池の消費量）の検討を行うと次のような結果が得られた。浄水の使用量をある所定値と定めた場合、流量検出部１２０、ＬＥＤ１０６Ａによる消費電流量は1日あたり約０．２８ｍＡｈ、１日に２０回タッチ操作を行った場合のＮＦＣチップＡ１４による消費電流量は約０．００５ｍＡｈとなることが分かった。浄水を同じ条件で使用し続けたと仮定した場合、ボタン電池（電池容量２１０ｍＡｈ）の寿命は約２．１年となる。このように本実施形態のタッチ操作によるＮＦＣ通信の影響は、ボタン電池の消費電流量にほとんど影響しない。
【００７３】
これに対し、比較のために浄水器１０Ａに、ＮＦＣチップＡ１４の代わりに、ＢＬＥ（Bluetooth（登録商標） Low Energy）通信により使用量情報を送信する目的でＢｅａｃｏｎ発信機を取り付けた場合の電池消費量を検討する。例えば、アドバタイズ信号を常に（１００ｍｓｅｃ間隔で）発信するとする。アドバタイズ信号の送信時の電流を６ｍＡ、１回あたりの動作時間を０．０２ｓｅｃ、スリープ時の電流を０．０００８ｍＡ等とすると、Ｂｅａｃｏｎ発信機による消費電流量は１日あたり約２．８９ｍＡｈである。また、浄水の使用量は上記と同じとすると、流量検出部１２０、ＬＥＤ１０６Ａによる消費電流量は1日あたり約０．２８ｍＡｈである。この場合、上記のボタン電池の寿命は０．１８年（約２ヶ月）となる。
また、１日の浄水の使用回数を２０回とし、浄水の使用時に限り５分間アドバタイズ信号を発信するとして消費電流量を計算した（送信時、スリープ時の消費電流量は上記と同じ条件）。すると、Ｂｅａｃｏｎ発信機による消費電流量は１日あたり約０．２１ｍＡｈであった。この場合、上記のボタン電池の寿命は１．１８年となる。
【００７４】
これらのことから、本実施形態の浄水器１０Ａであれば、ボタン電池の電力消費量は、流量検出部１２０およびＬＥＤ１０６Ａの動作による消費に限られ、長期間（例えば２年間）使用できることが分かる。特に本実施形態の浄水器１０Ａは、使用量情報を表示する液晶ディスプレイ等の表示部を備えず、使用量情報を携帯通信装置２０でのみ表示する構成としているため、上記のような消費電力の抑制がより向上する。
【００７５】
以下、表示部２０１に表示する画像の具体例を示す。
図１８は、本発明の一実施形態における起動画面の一例を示す図である。図１８に例示する起動画面の遷移は、図１５における「画面１」の起動画面表示の具体例である。アプリケーションが起動すると、ロゴマークが表示され、プログラムのアップデート情報などが通知されてもよい。
図１９は、本発明の一実施形態における初回登録画面の一例を示す第１の図である。図１９は、浄水器１０の購入時など、初回登録時に行う登録画面の具体例である。登録画面では、浄水器１０へのタッチ操作が案内されてもよい。
図２０は、本発明の一実施形態における初回登録画面の一例を示す第２の図である。図２０に例示する画面の遷移は、図１５における「画面２」の購入店登録画面の具体例である。購入店の登録は、例えば、浄水器１０の登録に続いて行う。この画面では、メーカの公式オンラインショップや販売店の情報を登録することができてもよい。図２１は、本発明の一実施形態における初回登録画面の一例を示す第３の図である。図２０にした画面で購入店の登録を行うと、例えば、図２１に示す登録完了を示す画面へと遷移される。また、購入店の登録を行うと、例えば、図２２以降に示すように浄水器１０のステータス表示画面へと遷移してもよい。
【００７６】
続いて浄水器のステータス表示画面の例を図２２〜図２９に示す。
図２２〜２４は、それぞれ、本発明の一実施形態における浄水器ステータス表示画面の一例を示す第１〜第３の図である。
図２２の左図に浄水器のステータス表示画面の概要を示す。図示するように浄水器１０のステータス表示画面には、カートリッジ残量、利用期間、カートリッジの交換予想日、電池残量が表示される。図２２の右図には、カートリッジの交換予想日、電池残量、利用期間の各項目の表示例を示す。図２３の左図には、カートリッジ残量の表示例を示す。表示制御部２０２は、交換時期までの期間に応じて様々な態様でこれらの情報を表示部２０１に出力し、表示部２０１は当該情報を表示する。例えば、初期は安心な状態を意味する青色や緑色などで各項目のステータスを表示し、交換期限が近付くにしたがって注意を喚起する黄色などで表示し、最終的に交換時期を迎えると、あるいは、期限間際になると、警告を意味する赤色などで表示してもよい。これらの表示を参照することでユーザは、カートリッジ及び電池の使用状況を一目で把握することができる。なお、ユーザは、携帯通信装置２０を浄水器１０に近接させることで各項目の値を更新することができる。
図２３の右図には、カートリッジおよび電池の使用状況に合わせて表示されるダイアログ画面の一例を示す。カートリッジ等の交換時期を迎えると、表示制御部２０２は、ダイアログ表示してユーザに交換時期を迎えたことを通知する情報を出力してもよい。
【００７７】
図２４には、カートリッジ残量に応じて変化する背景画像の例を示す。この例では、カートリッジ残量を表す水面の波形が、カートリッジ残量の減少に伴って低下していく様子が示される。この例のように、表示制御部２０２は、背景画像全体を使ってカートリッジの残量を視覚化して通知する情報を出力するようにしてもよい。
【００７８】
図２５は、本発明の一実施形態における浄水器ステータス表示画面の一例を示す第４の図である。図２５に例示するのは、カートリッジの交換時期などを通知するプッシュ通知が無効となっている場合にプッシュ通知を有効にすることを促す表示例である。
【００７９】
図２６は、本発明の一実施形態における浄水器ステータス表示画面の一例を示す第５の図である。図２６に例示するのは、タッチ操作を行っても、積算流量が０となっている場合に表示されるダイアログ画面である。
【００８０】
図２７は、本発明の一実施形態における浄水器ステータス表示画面の一例を示す第６の図である。図２７に例示する一連の画面は、初期登録したものと異なる浄水器１０にタッチ操作を行った場合に表示される。
【００８１】
図２８は、本発明の一実施形態における浄水器ステータス表示画面の一例を示す第７の図である。図２８に浄水器１０とのタッチ処理が失敗した場合、再度、タッチ操作を行うことを促すダイアログ画面の一例を示す。
【００８２】
図２９は、本発明の一実施形態における浄水器ステータス表示画面の一例を示す第８の図である。図２９に、カートリッジ残量が低下するに伴って変化するステータス表示画面の様々な表示例を示す。図２９の上段の一番左側にカートリッジ交換直後のステータス表示画面を示す。上段の左側から右側に向かってカートリッジ残量が徐々に減少し、さらに下段の最も左側に例示する画面へと変化し、下段の左側から右側に向かって、さらにカートリッジ残量が減少していく場合のステータス表示画面を示す。最終的にカートリッジ残量が無くなると、下段の右側から２つ目の画面が表示され、その場合、下段の最も右側に示すようにカートリッジの交換を促すダイアログが表示されてもよい。
【００８３】
次にカートリッジや電池の交換時期が到来したときに用いる表示画面の例を示す。
図３０は、本発明の一実施形態におけるカートリッジ交換のメニュー画面の一例を示す図である。メニュー画面には、カートリッジ購入方法、カートリッジ交換方法、電池交換方法のそれぞれを案内する画面へ遷移するためのボタンが表示される。ユーザがカートリッジの購入方法のボタンを押下すると図３１の画面が表示され、ユーザがカートリッジ交換方法のボタンを押下すると図３２の画面が表示され、ユーザが電池の交換方法のボタンを押下すると図３５の画面が表示される。
【００８４】
図３１は、本発明の一実施形態におけるカートリッジ購入画面の一例を示す図である。
図３１に示す画面には、交換対象となる商品のパッケージの拡大画像を表示するボタンと、その商品の購入ができるオンラインストア（公式ストア）へのボタン、初期登録で登録した購入店名などが表示される。
【００８５】
図３２は、本発明の一実施形態におけるカートリッジ交換方法表示画面の一例を示す第１の図である。図３２にカートリッジ交換方法を説明する画面を示す。
図３３は、本発明の一実施形態におけるカートリッジ交換方法表示画面の一例を示す第２の図である。図３３に、カートリッジ交換後の確認作業を説明する画面を示す。
図３４は、本発明の一実施形態におけるカートリッジ交換方法表示画面の一例を示す第３の図である。図３４に、カートリッジ交換後の確認作業時に浄水器１０へのタッチ操作に失敗したときに表示される画面を示す。
【００８６】
図３５は、本発明の一実施形態における電池交換方法表示画面の一例を示す図である。図３５にボタン電池の交換方法を説明する画面を示す。
【００８７】
図３６は、本発明の一実施形態における設定画面の一例を示す図である。
図３０のメニュー画面の右上の設定ボタンを押下すると、図３６に例示する浄水器やカートリッジの設定画面が表示される。設定画面では、使用中の浄水器１０の品番、使用中のカートリッジの品番、浄水器１０やカートリッジを購入する店舗を参照したり、設定し直したりすることができてもよい。
【００８８】
図３７は、本発明の一実施形態におけるプッシュ通知表示画面の一例を示す図である。
例えば、カートリッジの交換時期が近づいていることを通知するメッセージがプッシュ通知により通知された場合、表示制御部２０２は、図３７の左図に例示するように「浄水器からのお知らせがあります。カートリッジの交換時期が近づいています。」という情報を表示部２０１に出力し、表示部２０１は当該情報の表示を行ってもよい。カートリッジの交換時期が過ぎたことを通知するメッセージ、あるいは、浄水器のタッチ操作を促すメッセージがプッシュ通知により通知された場合も同様である。これらのプッシュ通知を受けた場合の表示例をそれぞれ図３７の中図、右図に示す。
【００８９】
以上、様々な実施形態を説明したが、さらに以下のような実施形態でも良い。
例えば、上記例では、カートリッジを流れる流量に基づいてカートリッジの交換時期を判定する場合を例に説明を行ったがこれに限定されない。例えば、カートリッジを装着してからの経過時間に基づいて、所定の期間が経過したカートリッジの交換時期を迎えたと判定してもよい。あるいは、浄水が流れる時間を計測し、この時間が閾値を超えると、カートリッジの交換時期を迎えたと判定してもよい。あるいは、単位時間当たりの流量（例えばＬ／ｍｉｎ）を測定し、流量が所定の閾値を下回ると、カートリッジの交換時期を迎えたと判定してもよい。あるいは、浄水の使用頻度（例えば１日あたりの浄水の使用回数）に基づいて、累積の使用回数が所定の閾値を超過すると、カートリッジの交換時期を迎えたと判定してもよい。あるいは、カートリッジを流れる流量と、使用時間や使用頻度を組み合わせてカートリッジの交換時期を判定してもよい。これにより、カートリッジの交換時期の予測がより正確に行うことができる。
【００９０】
また、例えば、浄水器１０に水質計を設け、原水、浄水の少なくとも一方の水質を計測し、水質の情報を携帯通信装置２０へ送信するようにしてもよい。水質とは、例えば、水中に含まれる無機イオン（カルシウム、マグネシウム、ナトリウム、カリウム、鉄、マンガンなど）の総量を示すＴＤＳ（Ｔｏｔａｌ Ｄｉｓｓｏｌｖｅｄ Ｓｏｌｉｄｓ：総溶解固形物）、全有機炭素の量を示すＴＯＣ（Ｔｏｔａｌ Ｏｒｇａｎｉｃ Ｃａｒｂｏｎ）、残留塩素等の水質指標である。また、例えば、浄水器１０に水温計を設け、原水、浄水の少なくとも一方の水温を計測し、水温の情報を携帯通信装置２０へ送信するようにしてもよい。また、例えば、浄水器１０に水圧計を設け、原水、浄水の少なくとも一方の水圧を計測し、水圧の情報を携帯通信装置２０へ送信するようにしてもよい。これにより、ユーザは、原水や浄水の水質を把握することができる。また、カートリッジを流れる流量、使用時間、使用頻度に加え、水質、水温、水圧などを考慮してカートリッジの交換時期を判定してもよい。
流量検出部１２０は本願センサの一例であり、流量検出部以外に、水質計や水圧計をセンサとして用いても良い。これにより、流量だけではなく、水質や水圧の情報により、カートリッジの交換時期を判定することが可能となる。
【００９１】
また、浄水器１０やカートリッジのパッケージに販売店のＷｅｂサイトのＵＲＬを含む情報を表示してもよい（ＱＲコード（登録商標）が表示されたシールを貼付ける等）。例えば、ユーザは、図２０に例示した購入店の登録画面で、携帯通信装置２０を用いてそのＱＲコード（登録商標）を読み取ることにより、初期登録を行うことができてもよい。これにより、販売店での購入を促し、販売店の売上向上を図ることにより、カートリッジのメーカは、販売店を確保することができる。また、浄水器１０のユーザの利便性が向上する。
【００９２】
また、カートリッジにその品番や寿命などを記憶するＮＦＣチップやＩＣタグを設けてもよい。そしてカートリッジと浄水器１０の本体が通信を行うことによって、浄水器１０がカートリッジの品番や寿命などを認識してもよい。また、携帯通信装置２０がタッチ操作により、直接カートリッジのＮＦＣチップやＩＣタグと通信を行い、カートリッジの品番や寿命を、携帯通信装置２０にて認識できるようにしてもよい。例えば、カートリッジの品番と寿命の情報を携帯通信装置２０で記憶し、最初にそのカートリッジの品番を認識してから、ＮＦＣチップから読み取った寿命の情報が示す期間が経過すると、携帯通信装置２０は、カートリッジの交換時期であるとのメッセージを表示してもよい。これにより、浄水器１０が流量センサやＮＦＣチップを備えていなくても、ユーザは、カートリッジの交換時期を把握することができる。また、ＮＦＣチップ等にそのカートリッジが正規品であることを示す情報を記憶させ、浄水器１０または携帯通信装置２０がＮＦＣチップの情報を読み取った際に、正規品でない場合は、携帯通信装置２０及び分析サーバ装置４０に不製品が使用されていることを通知したり、浄水器１０にて浄水が流れないように制御できたりしてもよい。
【００９３】
また、浄水器１０は、固有の識別情報を備え、この識別情報に基づいて、分析サーバ装置４０側で、流量や水質、カートリッジ交換時期などの各種情報が管理されていてもよい。これにより、ユーザの個人情報を収集することなく、カートリッジ交換を通知することができる。
また、ＳＮＳ（social networking service）など、ユーザの個人情報を収集してＷｅｂ上でサービスを提供する外部のＷｅｂページと分析サーバ装置４０との間でＩＤ連携（Single Sign OnやID Federation）を行って、各ユーザが利用しているカートリッジの情報のみを分析サーバ装置４０から抽出し、各ユーザ別のＷｅｂページを提供するサービスを浄水器１０のメーカが提供してもよい。これにより、ユーザは、浄水器１０のメーカに個人情報を提供することなく、自分が使用する浄水器１０およびカートリッジの使用状況などを、この個人別のＷｅｂページで把握することができる。
【００９４】
また、カートリッジの交換時期の判定は分析サーバ装置４０に依らず、携帯通信装置２０にて行ってもよい。
【００９５】
また、携帯通信装置２０が、ユーザの生活圏の気候、天候の情報を受信するようにしてもよい。例えば、他の装置が、部屋の温度や湿度を計測した情報を携帯通信装置２０へ送信し、温度が所定の温度より高くなると、表示制御部２０２が、「暑いので水を飲みましょう」といったメッセージを表示する情報を表示部２０１に出力してもよい。湿度が高い場合も同様に水分補給を促すメッセージを表示するようにしてもよい。また、外部サーバから天気の情報を携帯通信装置２０へ送信し、日差しが強ければ、アプリケーション２０２は、「暑いので水をこまめに飲みましょう」というメッセージを表示する情報を出力してもよい。
【００９６】
また、浄水器１０は、各種低消費電力無線規格/技術に適用した無線モジュールを備えても良い。低消費電力無線規格/技術としては、BLE、EnOcean、LPWA (SIGFOX、LoRa、Wi-Fi HaLow、RPMA、Flexnet、IM92）、Wi-SUN等がある。携帯通信装置２０で浄水器１０をタッチすることにより上述の無線モジュールが起動し、無線モジュールを介して携帯通信装置２０又は直接分析サーバ装置４０に使用量情報等を送信しても良い。
また、ＮＦＣにより、浄水器の無線モジュールのペアリングを行えるようにしても良い。これにより、各種無線モジュールの設定が容易となるとともに、使用量情報等の各種データ送信が容易に行えるようになる。
また、上述の無線モジュールは、浄水器１０の付属ボタンをプッシュする、浄水器１０のディスプレイを指でタッチする事により起動しデータ通信を行っても良い。特に浄水器を取り付けた後に上記操作を行おうとすると、面倒であることから、ユーザの使い勝手が向上する。
また、上述の無線モジュールを備えることにより、複数の浄水器１０を、その内の１台の浄水器１０にて管理することが可能となる。上述の無線モジュールを備えることにより、複数の浄水器１０間で通信が可能となることから、その内の１台の浄水器１０と携帯通信装置２０との間で使用量情報等の各種データ通信を行うことにより、複数の浄水器１０の使用量情報等の各種データをまとめて取得することが可能となり、ユーザの各種データの取得および管理が、より容易となる。
【００９７】
また、無線モジュールのデータ通信は、上述のソーラー発電装置、ＬＥＤ発電装置、水力発電装置（例えば、原水の流路に羽根車を設ける）、およびそれらが発電した電力を蓄電する蓄電装置を利用しても良い。
このようにすることで、浄水器本体の電池寿命を延ばすことができる。
【００９８】
また、浄水器の無線モジュールやＮＦＣが通信する情報の種類（例えば、カートリッジ購入先、利用開始日、カートリッジの値段、カートリッジ交換予定日、コメント、名前、個人情報、SNSにデータ送付等）を、携帯通信装置２０のＮＦＣチップを介して、浄水器１０の制御装置１００に書き込みしても良い。
このようにすることで、通信する情報の設定を容易に行うことができる。
【００９９】
また、浄水器に電磁弁（浄水、原水等切替）を設け、ＮＦＣの給電により電磁弁の切換え操作を行えるようにしても良い。
このようにすることで、切換えレバーを省くことが出来、より小型化することができる。
【０１００】
また、浄水器１０と携帯通信装置２０とを近接させて通信を行う際、通信または給電が確実に行われたことをユーザが確認できるよう、音や光等による報知手段を設けても良い。さらに、カートリッジの寿命に合わせて音や光を変化させ、ユーザがカートリッジ寿命を、より認識し易くしても良い。
また、浄水器１０に表示部を設け、通信または給電時に、水温、TDS、塩素濃度、pH等を浄水器１０の表示部に表示するようにしても良い。このようにすることで、浄水器１０内の電池を表示部用に使用しなくても、浄水器１０の表示部に表示させることが可能となり、浄水器１０内の電池量を低減することができるため、浄水器１０の小型化や、電池が長持ちすることにより電池交換の頻度を低減できるため浄水器１０の故障のリスクを低減することができる。
【０１０１】
また、携帯通信装置２０に、ユーザがアプリケーションをインストールするためにアプリケーションのダウンロードサイトに接続する際、ＮＦＣチップに予めダウンロードサイト情報を記憶させておき、初回設定時にＮＦＣチップと通信した際にダウンロードサイトに自動で接続するようにしても良い。このようにすることで、アプリケーションのインストールおよび設定が容易に行える。
また、ＮＦＣチップに予めアプリケーションを記憶させておき、初回設定時にＮＦＣチップと通信した際にアプリケーションがインストールされるようにしても良い。このようにすることで、より容易にアプリケーションをインストールすることが可能となる。
【０１０２】
その他、本発明の趣旨を逸脱しない範囲で、上記した実施の形態における構成要素を周知の構成要素に置き換えることは適宜可能である。また、この発明の技術範囲は上記の実施形態に限られるものではなく、本発明の趣旨を逸脱しない範囲において種々の変更を加えることが可能である。例えば、分析サーバ装置４０において、記憶部４０６を外部の記憶装置に置き換えることが可能である。
流量検出部１２０はセンサの一例、通信部１０４は第１通信部の一例、通信部２０４は第２通信部の一例、通信部４０７は第３通信部の一例である。携帯通信装置２０は他の装置の一例である。
【産業上の利用可能性】
【０１０３】
上記した浄水器、浄水器システム、浄水器管理システム及び浄水器使用状況検出方法によれば、浄水器に他の装置からの給電による近距離無線通信用装置を備えることにより、通信による電力の消費がなくなるため、浄水器の電力消費量が低減され、電池交換の頻度を少なくすることができる。また、カートリッジの交換時期を判定し、ユーザにその交換時期を提示することができる。
【符号の説明】
【０１０４】
１      浄水器管理システム
２、２Ａ      浄水器本体
３      蛇口
３ａ      アーム
４、４Ａ      カートリッジ
５      ケース本体
６、６Ａ      切換操作部
７、７Ａ      受入口
８      取付治具
９Ａ      浄水出口
９Ｂ      シャワー出口
９Ｃ      原水出口
１０、１０Ａ      浄水器
１００      制御装置
１０１      入力部
１０２      書込制御部
１０３      記憶部
１０４      通信部
１０５Ａ      パネル部
１０６Ａ      ＬＥＤ
１１０      電源部
１１１Ａ      電池収納部
１２０      流量検出部
２０      携帯通信装置
２０１      表示部
２０２      表示制御部
２０３      ＮＦＣ機能部
２０４      通信部
３０      ＰＣ端末
４０      分析サーバ装置
４０１      データ収集部
４０２      データ更新部
４０３      判定部
４０４      予測部
４０５      分析部
４０６      記憶部
４０７      通信部
４１      プッシュ通知用サーバ
５０      ＥＣサーバ装置
６０      家屋
Ａ１０      マイコン
Ａ１３      磁石
Ａ１４      ＮＦＣチップ
Ａ１５      リードスイッチ
【図１】
2018124291.tif 000003
【図２】
2018124291.tif 000004
【図３】
2018124291.tif 000005
【図４】
2018124291.tif 000006
【図５】
2018124291.tif 000007
【図６】
2018124291.tif 000008
【図７】
2018124291.tif 000009
【図８】
2018124291.tif 000010
【図９】
2018124291.tif 000011
【図１０】
2018124291.tif 000012
【図１１】
2018124291.tif 000013
【図１２】
2018124291.tif 000014
【図１３】
2018124291.tif 000015
【図１４】
2018124291.tif 000016
【図１５】
2018124291.tif 000017
【図１６】
2018124291.tif 000018
【図１７】
2018124291.tif 000019
【図１８】
2018124291.tif 000020
【図１９】
2018124291.tif 000021
【図２０】
2018124291.tif 000022
【図２１】
2018124291.tif 000023
【図２２】
2018124291.tif 000024
【図２３】
2018124291.tif 000025
【図２４】
2018124291.tif 000026
【図２５】
2018124291.tif 000027
【図２６】
2018124291.tif 000028
【図２７】
2018124291.tif 000029
【図２８】
2018124291.tif 000030
【図２９】
2018124291.tif 000031
【図３０】
2018124291.tif 000032
【図３１】
2018124291.tif 000033
【図３２】
2018124291.tif 000034
【図３３】
2018124291.tif 000035
【図３４】
2018124291.tif 000036
【図３５】
2018124291.tif 000037
【図３６】
2018124291.tif 000038
【図３７】
2018124291.tif 000039
【国際調査報告】
2018124291.tif 000040
2018124291.tif 000041
2018124291.tif 000042
2018124291.tif 000043